(57)【要約】      （修正有）【課題】転動体の転動方向又は転動速度に変化を与える新たな遊技装置を提供する。【解決手段】傾斜面を有する第１部材と第１部材の傾斜面を転動する転動体をなす第２部材とからなり、第１部材の表面に複数の磁石ｍ１を埋設し、また第２部材の転動体表面に複数の磁石ｍ２を埋設し、第１部材の磁石埋設表面上を、磁石埋設の第２部材の転動体を転動させ、転動中に作用する磁力の相互作用によって、転動体の転動方向又は転動速度に変化を与える。【選択図】図１
0003101548.tif 000002
【実用新案登録請求の範囲】
【請求項１】
傾斜面を有する第１部材と第１部材の傾斜面を転動する転動体をなす第２部材とからなる遊技装置であって、第１部材の表面に複数の磁石を埋設し、また第２部材の転動体表面に複数の磁石を埋設し、第１部材の磁石埋設表面上を、磁石埋設の第２部材の転動体を転動させ、転動中に作用する磁力の相互作用によって、転動体の転動方向又は転動速度に変化を与えることを特徴とする遊技装置。
【請求項２】
請求項１において、平面部材の第１部材と球体の第２部材との組合せになり、第２部材の球体が第１部材の平面部材上を転動するとき、球体は複数の磁力の相互作用によって無秩序な方向に蛇行しながら落下するようにしたことを特徴とする遊技装置。
【請求項３】
請求項１において、傾斜下位部の落下孔を備えてジグザグ状に配置した多段の傾斜平面案内部材と最終下段の曲面案内部材とになる第１部材と、第１部材のジグザク状の傾斜平面案内部材及び曲面案内部材の表面を転動する円筒状部材とから構成され、円筒状部材は、第１部材の傾斜平面案内部材表面を転動するとき、複数の磁力の相互作用によって円筒の回転速度を無秩序に抑制・加速しながら落下すると共に、曲面案内部材の表面ではシーソー運動を繰り返すようにしたことを特徴とする遊技装置。
【請求項４】
請求項１ないし３の何れかにおいて、第１部材及び第２部材に埋設の磁石はその強さを異にして埋設されていることを特徴とする遊技装置。
【請求項５】
請求項１ないし４の何れかにおいて、第１部材の傾斜を調節可能としたことを特徴とする遊技装置。
【請求項６】
請求項１ないし５の何れかにおいて、第１部材に埋設の磁石の磁力を電気的に調節可能としたことを特徴とする遊技装置。
【考案の詳細な説明】
【技術分野】
【０００１】  この出願の考案は、転動体の転動を楽しむ遊技装置に関するものである。さらに詳しくは、この出願の考案は、転動体の転動方向又は転動速度を、磁力を利用して変化を与える新しい遊技装置に関するものである。
【背景技術】
【０００２】  従来、遊技球を用いた遊技機は、遊技球を発射して運動する遊技球の軌跡が、重力と遠心力と目視できる障害物の影響を受けるものであった。
したがって、遊技球の運動軌跡を予測可能な範囲で遊技者の遊技意欲を喪失させないものを提供するものであった。
遊技者は、熟練度に応じて遊技球の運動軌跡の予測性を越える遊技装置を望むようになり、熟練した遊技者の挑戦目標として、難易度の高い遊技装置の開発が待望されてきた。
【考案の開示】
【考案が解決しようとする課題】
【０００３】  しかしながら、従来の遊技装置には、上記のような解決べき課題に対して、未だ、具体的な提案はなされていなかった。
そこで、以上のとおりの事情に鑑み、この出願の考案は、転動体の転動方向又は転動速度を、磁力を利用して変化を与える新しい遊技装置を提供することを課題としている。
【課題を解決するための手段】
【０００４】  この出願の考案は、上記の課題を解決するものとして、第１には、傾斜面を有する第１部材と第１部材の傾斜面を転動する転動体をなす第２部材とからなる遊技装置であって、第１部材の表面に複数の磁石を埋設し、また第２部材の転動体表面に複数の磁石を埋設し、第１部材の磁石埋設表面上を、磁石埋設の第２部材の転動体を転動させ、転動中に作用する磁力の相互作用によって、転動体の転動方向又は転動速度に変化を与えることを特徴とする遊技装置を提供する。【０００５】  この出願の考案は、第２には、平面部材の第１部材と球体の第２部材との組合せになり、第２部材の球体が第１部材の平面部材上を転動するとき、球体は複数の磁力の相互作用によって無秩序な方向に蛇行しながら落下するようにしたことを特徴とする遊技装置を提供する。【０００６】  この出願の考案は、第３には、傾斜下位部の落下孔を備えてジグザグ状に配置した多段の傾斜平面案内部材と最終下段の曲面案内部材とになる第１部材と、第１部材のジグザク状の傾斜平面案内部材及び曲面案内部材の表面を転動する円筒状部材とから構成され、円筒状部材は、第１部材の傾斜平面案内部材表面を転動するとき、複数の磁力の相互作用によって円筒の回転速度を無秩序に抑制・加速しながら落下すると共に、曲面案内部材の表面ではシーソー運動を繰り返すようにしたことを特徴とする遊技装置を提供する。【０００７】  この出願の考案は、第４には、第１部材及び第２部材に埋設の磁石はその強さを異にして埋設されていることを特徴とする遊技装置。
この出願の考案は、第５には、第１部材の傾斜を調節可能としたことを特徴とする遊技装置を提供する。【０００８】  この出願の考案は、第６には、第１部材に埋設の磁石の磁力を電気的に調節可能としたことを特徴とする遊技装置を提供する。
【考案の効果】
【０００９】上記第１の遊技装置によれば、第１部材の磁石埋設表面上を、磁石埋設の第２部材の転動体を転動させ、転動中に作用する磁力の相互作用によって、転動体の転動方向又は転動速度に変化を与えることができるので、予測性が少なく、意外性を持たせることができ、これによって遊技に興味を抱かせることができ、娯楽性に優れた遊技装置を提供することができる。【００１０】  上記第２の遊技装置によれば、第２部材の球体が第１部材の平面部材上を転動するとき、球体は複数の磁力の相互作用によって無秩序な方向に蛇行しながら落下するようにしたので、簡単な構成によって、転動体の平面内での方向性に意外性がある動きをもつ嗜好性の強い遊技装置を提供することができる。【００１１】  上記第３の遊技装置によれば、円筒状部材は、第１部材の傾斜平面案内部材表面を転動するとき、複数の磁力の相互作用によって円筒の回転速度を無秩序に抑制・加速しながら落下すると共に、曲面案内部材の表面ではシーソー運動を繰り返すようにしたので、簡単な構成によって、転動速度のばらつき故に意外性がある遊技装置を提供することができる。【００１２】  上記第４の遊技装置によれば、第１部材及び第２部材に埋設の磁石はその強さを異にして埋設されているので、転動体の挙動変化を与えることができる遊技装置を提供することができる。【００１３】上記第５の遊技装置によれば、第１部材の傾斜を調節自在としてあるので、傾斜の緩急によって転動体の速度を自在に変化させることができる遊技装置を提供することができる。【００１４】上記第６の遊技装置によれば、第１部材に埋設の磁石の磁力を電気的に調節可能としたことを特徴とする遊技装置を提供することができる。
【考案を実施するための最良の形態】
【００１５】  図１は、本考案の原理を説明するための概要図であり、この出願の考案の一実施例形態を示したものである。【００１６】  図１において、傾斜配置される台木（１）は傾斜角度（α）をなして配置され、台木（１）の平坦な上表面には埋設磁石（ｍ１）が複数個配設されている。
球体をなす転動体（２Ａ）又は円筒体をなす転動体（２Ｂ）の表面にも同様に埋設磁石（ｍ２）が複数個配設されている。【００１７】  球体をなす転動体（２Ａ）又は円筒体をなす転動体（２Ｂ）は、傾斜配置される台木（１）の平坦な上表面上を転動しながら落下する。
その際、転動体は、埋設された磁石の相互的な影響下で落下する。傾斜各（α）、磁石の強さ、磁石の配列（吸引、反発）、転動体の形状形態（球体の場合、円筒体の場合）の影響を受けて転動するものであるが、従来の機械的な障害物への衝突による反発方向の予測が目視によって可能なものと違って、本考案の場合は目視によっては全く予測がつかず、転動体の意外性のある動きを創出して、遊技者の興味を惹き付け、球技や玩具に応用できるものである。
【実施例１】
【００１８】  本願考案をシーソーボールに応用した遊技装置について説明する。図２に示すように、遊技装置は、傾斜配置される複数の案内部材を備えた多段台木（１Ｂ）と円筒体をなす転動体（２Ｂ）を含み、多段台木（１Ｂ）は傾斜平面案内通路部材（３）（４）（５）（６）と曲面案内部材（７）が台板（９）に対をなして立設した支持板（８）の間に上方から下方に向けてジグザグ状に傾斜状態に支持され、最下段に曲面案内部材（７）が支持される。は傾斜平面案内通路部材（３）（４）（５）（６）の各傾斜下端部には落下孔（３１）（４１）（５１）（６１）が形成されている。傾斜平面案内通路部材（３）（４）（５）（６）と曲面案内部材（７）の表面には埋設磁石（ｍ）が設けられ、また、円柱状転動体（２Ｂ）の表面にも埋設磁石（ｍ）が設けられている。
【作用】
【００１９】  最上段の傾斜平面案内通路部材（３）から円柱状転動体（２Ｂ）を放すと、円柱状転動体（２Ｂ）は自重によって傾斜平面上を転動し始め、傾斜平面案内通路部材（３）の落下孔（３１）から次段の傾斜平面案内通路部材（４）へ落下転動し、傾斜平面案内通路部材（５）、落下孔（５１）、傾斜平面案内通路部材（６）、落下孔（６１）、曲面案内部材（７）へと転動する。その際、転動の速度、曲面案内部材（７）での揺動速度が一様でないので、転動から特異な動きによって遊技者の興味を惹起する新しい遊技装置を提供することができる。
【実施例２】
【００２０】  本願考案をスマートボールに応用した遊技装置が図３に示される。遊技装置は、底板（１１）の周囲に縁板（１２）を備えた台木（１Ａ）と球体をなす転動体（２Ａ）とから構成され、底板（１１）の表面に埋設磁石（ｍ）を備えると共に、球体をなす転動体（２Ａ）の表面にも埋設磁石（ｍ）を備える。
案内板（１３）は  縁板（１２）と協働して、転動体（２Ａ）のための案内通路（１４）を形成する。仕切り板（１５）は、打ち放された球体をなす転動体（２Ａ）が落下して受容される空間を形成する。球体押出しレバー（１６）は、球体をなす転動体（２Ａ）を案内通路（１４）に沿って押出す手段である。【００２１】  （作用）球体押出しレバー（１６）により球体をなす転動体（２Ａ）をヒットして打ち出すと球体をなす転動体（２Ａ）は、上方から転動落下する際、それぞれに備えた埋設磁石の磁力の相互作用によって、球体をなす転動体（２Ａ）は通常予想される軌道とは異なる動きを伴って転動し、仕切り板（１５）によって形成された空間の１つに受容される。
もちろん、この出願の考案は以上の実施形態および実施例に限定されるものではなく、細部については様々な態様が可能である。
【産業上の利用可能性】
【００２２】以上詳しく説明した通り、この出願の考案によって、第１部材の磁石埋設表面上を、磁石埋設の第２部材の転動体を転動させ、転動中に作用する磁力の相互作用によって、転動体の転動方向又は転動速度に変化を与え、意外性のある動きを持たせることのできる新しい遊技装置、玩具に応用することができる。
【図面の簡単な説明】
【００２３】
【図１】  本願考案の原理を説明するための概要図。
【図２】  本願考案をシーソーボールに応用した遊技装置
【図３】  本願考案をスマートボールに応用した遊技装置
【符合の説明】
【００２４】１  傾斜配置される台木
１Ａ  周囲に縁板を備えた台木
１Ｂ  傾斜配置される複数の案内部材を備えた多段台木
ｍ１  埋設磁石
２Ａ  球体をなす転動体
２Ｂ  円筒体をなす転動体
ｍ２  埋設磁石
α  台木の傾斜角度
３，４，５，６  傾斜平面案内通路
３１，４１，５１，６１  落下孔
７  曲面案内部材
８  傾斜平面案内通路と曲面案内部材を支持するための支持板
９  台板
１１  底板
１２  縁板
１３  案内板
１４  案内通路
１５  仕切り板
１６  球体押出しレバー
【図１】
0003101548.tif 000003
【図２】
0003101548.tif 000004
【図３】
0003101548.tif 000005